(57)【要約】      （修正有）【課題】聴覚装置のモデル制御および関連する方法、聴覚装置をフィッティングする方法および聴覚装置を操作する方法を提供する。【解決手段】聴覚装置２は、聴覚装置のユーザの聴力損失を補うように構成される処理部４と、メモリ部６とを備える。メモリ部６は、聴覚装置識別子１１２と、聴覚装置２に利用可能なモデルを示すモデル情報データを含むモデルデータ１８０とを内部に格納する。モデル情報データは、第１のモデル情報および署名を含む。処理部４は、モデルデータを認証し、モデルデータの認証が失敗する場合はモデル更新モードに進むように構成する。【選択図】図２
2017050850.tif 000002
【特許請求の範囲】
【請求項１】
聴覚装置のユーザの聴力損失を補うように構成される処理部と、
メモリ部と、を備え、
前記メモリ部は、
聴覚装置識別子と、
第１のモデル情報および署名を含む、前記聴覚装置に利用可能なモデルを示すモデル情報データを含むモデルデータと、を格納し、
前記処理部は、
前記モデルデータを認証し、
前記モデルデータの認証が失敗する場合、モデル更新モードに進むように構成されている、聴覚装置。
【請求項２】
前記モデルデータを認証することは、前記モデル情報データの前記署名を認証することを含む、請求項１に記載の聴覚装置。
【請求項３】
前記モデルデータは、モデル名および／またはモデル識別子を含み、前記モデルデータを認証することは、前記モデルデータおよび／または前記モデル識別子に基づく、請求項１又は２に記載の聴覚装置。
【請求項４】
前記モデルデータを認証することは、前記聴覚装置識別子、前記モデル名、および前記モデル識別子に基づく認証基準が満たされているかどうかを判定することを含み、前記認証基準が満たされていなければ認証は失敗する、請求項３に記載の聴覚装置。
【請求項５】
前記モデルデータを認証することは、前記聴覚装置識別子、前記モデル名、および前記モデル識別子に基づいてチェック関数を実行することと、前記モデル名に対応するモデル情報を選択することと、前記チェック関数の結果を前記モデル名に対応する前記モデル情報と比較することとを含み、前記モデルデータの認証は、前記チェック関数の結果が前記対応するモデル情報に合致していなければ失敗する、請求項３又は４に記載の聴覚装置。
【請求項６】
前記メモリ部は、製造ユニット識別子を格納し、前記モデルデータを認証することは、前記製造ユニット識別子に基づく、請求項１〜５のいずれか一項に記載の聴覚装置。
【請求項７】
聴覚装置のユーザの聴力損失を補うように構成される処理部と、メモリ部とを備える聴覚装置をフィッティングする方法であって、
前記聴覚装置の聴覚装置識別子を取得する工程と、
モデル名を取得する工程と、
モデル識別子生成器から前記モデル名および前記聴覚装置識別子に基づいてモデル識別子を取得する工程と、
前記モデル名および前記モデル識別子を前記メモリ部に格納する工程と、を含む、方法。
【請求項８】
前記方法は、前記聴覚装置識別子に基づいてモデル情報データを取得する工程と、第１の更新基準が満たされていれば、前記モデル情報データを前記メモリ部に格納する工程と、を含む、請求項７に記載の方法。
【請求項９】
モデル識別子を取得する工程ならびに前記モデル名および前記モデル識別子を格納する工程は、第２の更新基準が満たされた場合に実行される、請求項７又は８に記載の方法。
【請求項１０】
前記方法は、前記メモリ部からモデル名、モデル識別子、およびモデル情報データを取り出す工程と、前記モデル情報データの署名を認証する工程と、前記モデル情報および前記聴覚装置識別子に基づいて前記モデル名および前記モデル識別子を認証する工程と、前記署名、前記モデル名、または前記モデル識別子を認証することが失敗する場合、フィッティングを中止する工程とを含む、請求項７〜９のいずれか一項に記載の方法。
【請求項１１】
前記方法は、前記モデル名に従って聴覚装置パラメータをフィッティングすることを含む、請求項７〜１０のいずれか一項に記載の方法。
【請求項１２】
聴覚装置のユーザの聴力損失を補うように構成される処理部と、聴覚装置識別子を内部に格納するメモリ部と、インタフェースと、を備える聴覚装置をフィッティングする方法であって、
前記聴覚装置からモデルデータを取得する工程と、
前記モデルデータを認証する工程と、
前記モデルデータの認証が成功する場合、前記聴覚装置をフィッティングする工程と、を含む、方法。
【請求項１３】
聴覚装置のユーザの聴力損失を補うように構成される処理部と、メモリ部と、インタフェースと、を備える聴覚装置を操作する方法であって、前記メモリ部は、聴覚装置識別子および前記聴覚装置に利用可能なモデルを示すモデル情報データを含むモデルデータを格納し、前記モデル情報データは、第１のモデル情報および署名を含み、
前記モデルデータを認証する工程と、
前記モデルデータの認証が失敗する場合、モデル更新モードに進む工程と、を含む、方法。
【請求項１４】
前記モデルデータを認証する工程は、前記モデル情報データの前記署名を認証する工程を含む、請求項１３に記載の方法。
【請求項１５】
前記モデルデータは、モデル名および／またはモデル識別子を含み、前記モデルデータを認証する工程は、前記モデル名および／または前記モデル識別子に基づいて前記モデルデータを認証する工程を含む、請求項１３又は１４に記載の装置。
【発明の詳細な説明】
【技術分野】
【０００１】
本開示は、モデル制御を有する聴覚装置および関連する方法、特に、聴覚装置を操作する方法および聴覚装置をフィッティングする方法に関する。
【背景技術】
【０００２】
聴覚装置産業における発展は、例えば、製造コストを下げるために、異なる機能を有する異なる聴覚装置モデルに同じハードウェアを使用することが主流になっている。しかしながら、異なるモデルに対して同じハードウェアを使用することは、聴覚装置製造業者が、選択された聴覚装置の異なるモデル（ソフトウェアバージョン）の使用を制御および／または承認できる必要性を必然的に伴う。
【発明の概要】
【０００３】
聴覚装置製造業者は、例えば、聴覚装置の正確な支払いを保証するために、聴覚装置の聴覚装置ハードウェアの構成を制御して、例えば異なるソフトウェアを有する異なるモデルとして操作できることを必要としている。
【０００４】
本開示の聴覚装置は、聴覚装置のユーザの聴力損失を補うように構成された処理部と、メモリ部とを備える。メモリ部は、聴覚装置識別子と、聴覚装置に利用可能なモデルを示すモデル情報データを含むモデルデータと、を内部に格納する／備える。モデル情報データは、第１のモデル情報および／または署名を含む。処理部は、モデルデータを認証し、モデルデータの認証が失敗する場合に、モデル更新モードに進むように構成されている。
【０００５】
聴覚装置をフィッティングする方法が開示される。聴覚装置は、聴覚装置のユーザの聴力損失を補うように構成された処理部と、メモリ部とを備える。本方法は、例えば、フィッティング装置を用いて聴覚装置の聴覚装置識別子を取得する工程と、例えば、フィッティング装置を用いてモデル名を取得する工程と、モデル名およびモデル識別子生成装置からの聴覚装置識別子に基づいてモデル識別子を取得する工程と、例えば、フィッティング装置を用いてモデル名およびモデル識別子をメモリ部に格納する工程と、を含む。
【０００６】
さらに、聴覚装置のユーザの聴力損失を補うように構成された処理部と、聴覚装置識別子を格納するメモリ部と、インタフェースと、を備える聴覚装置をフィッティングする方法が開示されている。本方法は、例えば、フィッティング装置を用いて聴覚装置からモデルデータを取得する工程と、例えば、フィッティング装置を用いてモデルデータを認証する工程と、モデルデータの認証が成功する場合に、聴覚装置をフィッティングする工程と、を含む。聴覚装置をフィッティングする本方法は、フィッティング装置を用いて実行してもよい。
【０００７】
また、聴覚装置のユーザの聴力損失を補うように構成された処理部と、メモリ部と、インタフェースと、を備える聴覚装置を操作する方法が開示されている。メモリ部／聴覚装置は、聴覚装置識別子と、聴覚装置に利用可能なモデルを示すモデル情報データを含むモデルデータと、を内部に格納する。モデル情報データは、第１のモデル情報および／または署名を含む。本方法は、例えば、起動時にモデルデータを認証する工程と、モデルデータの認証が失敗する場合に、モデル更新モードに進む工程と、を含む。
【０００８】
本開示の方法および装置によれば、聴覚装置製造業者によって聴覚装置の操作／フィッティングが承認／制御されることを容易にする。さらに、販売業者が無許可のフィッティング／モデル更新を行うリスクは非常に小さくなる。
【０００９】
有利な点としては、本開示によって、聴覚装置製造業者への適切な支払いをもって聴覚装置のモデルのアップグレード／ダウングレードが可能になることである。さらに、聴覚装置製造業者は、特定の聴覚装置のモデル設定を制御／モニタすることができる。
【００１０】
さらに、本開示によって、例えば、販売業者が別の聴覚装置からモデルデータを模造／複製した場合に、聴覚装置の許可されていないフィッティングが無許可／未払いモデルとして動作することを可能にする。
【００１１】
上記および他の特徴および利点は、添付の図面を参照しながら、例示的実施形態の以下の詳細な説明により当業者には容易に明らかとなるであろう。
【図面の簡単な説明】
【００１２】
【図１】聴覚装置を用いた例示的構造を概略的に示す。
【図２】例示的な聴覚装置を概略的に示す。
【図３】例示的なモデルデータを概略的に示す。
【図４】例示的なシグナリング図を概略的に示す。
【図５】例示的なシグナリング図を概略的に示す。
【図６】例示的な方法のフローチャートを概略的に示す。
【図７】例示的な方法のフローチャートを概略的に示す。
【図８】例示的な方法のフローチャートを概略的に示す。
【図９】例示的な方法のフローチャートを概略的に示す。
【発明を実施するための形態】
【００１３】
以下、各実施形態について、図面を参照しながら説明する。全図面を通して、同様の参照番号は同様の構成要素を示すものとする。したがって、同様の構成要素は、各図面の説明は詳細には説明しない。また、図面は実施形態の説明を容易にすることを意図するものに過ぎないことに留意すべきである。図面は、特許請求される発明の包括的な説明、または特許請求される発明の範囲に対する制限を意図するものではない。加えて、図示した実施形態は、示されるすべての態様または利点を有する必要はない。特定の実施形態とともに記載される態様または利点は必ずしも、その実施形態に限定されず、そのように示されていないか、または明示的に説明されていなくても、任意の他の実施形態で実施可能である。
【００１４】
全体を通して、同じ参照番号は、同一または対応する部分のために使用される。
【００１５】
本開示は、聴覚装置の改善されたセキュリティに関する。すなわち、本明細書に開示される聴覚装置は、脅威および攻撃に対して保護するためにセキュリティ機構等の適切な安全措置および対策を実施することにより、セキュリティ上の脅威、脆弱性、および攻撃に対してロバストである。本開示は、無許可のアクセス／フィッティングに対してロバストな聴覚装置に関する。さらに、聴覚装置および方法は、聴覚装置に割当可能な異なるモデルの安全かつ正確なモデル制御を容易にする。
【００１６】
本開示は、聴覚装置に関する。聴覚装置は、処理部と、メモリ部と、選択的に、インタフェースと、を備える。メモリ部は、読み出し専用メモリ（ＲＯＭ）、ランダムアクセスメモリ（ＲＡＭ）、ハードウェレジスタ、例えば、トランシーバ／ラジオ、および／または処理部のハードウェアレジスタ等を含むが、これらに限定されない、取り外し可能および取り外し不可能なデータ記憶部を備えうる。聴覚装置は、聴覚装置のユーザの聴力損失を補うように構成された処理部を備えうる。インタフェースは、例えば、２．４〜２．５ＧＨｚの範囲の周波数における無線通信用に構成される無線トランシーバを備えうる。１つまたは複数の例示的な聴覚装置において、インタフェースは、それぞれデータを受信および／または送信するように構成された無線トランシーバを備えるクライアント装置または聴覚装置との通信、例えば、無線通信用に構成される。
【００１７】
聴覚装置／メモリ部は、聴覚装置識別子を内部に格納していてもよい。聴覚装置識別子は、聴覚装置の一意の識別子を意味していてもよい。本明細書で使用する場合、用語「識別子」とは、例えば、分類するために識別し、かつ／または一意に識別するために使用される１つのデータを意味する。識別子は、語、数字、文字、記号、リスト、配列、またはこれらの任意の組み合わせの形態であってよい。例えば、数字である識別子は、整数、例えば、符号なしの整数配列等の８ビット、１６ビット、３２ビット等の長さの符号なしの整数単位の形態であってよい。
【００１８】
聴覚装置／メモリ部は、モデルデータを内部に格納しているか、またはモデルデータを内部に格納するように構成される。モデルデータは、例えば、第１のモデルおよび／または第１のモデルの特徴とは異なる特徴を有する第２のモデルを含む聴覚装置の利用可能なモデルを示すモデル情報データを含む。例えば、第１のモデルは、別の聴覚装置と無線通信して、例えば両耳聴覚システムを形成できてもよいのに対し、第２のモデルは別の聴覚装置と通信できないため、単一の聴覚装置で聴覚システムを形成することが意図される。モデル情報データは、聴覚装置に特有／一意のものであってよく、例えば、モデル情報データは、聴覚装置識別子に基づいていてよい。モデル情報データは、製造中および／または販売業者におけるフィッティング作業の間、メモリ部内に格納されていてもよい。モデル情報データは、第１のモデル情報を含んでいてもよい。第１のモデル情報は、対応する聴覚装置が動作するように構成されうるモデルを示す。モデル情報データは、対応する聴覚装置が動作するように構成されうる１つまたは複数のモデルを示す。モデル情報データは、対応する聴覚装置が動作するように構成されうるモデルを示す第２のモデル情報を含んでいてもよい。
【００１９】
モデル情報データは、フィッティング装置がモデル情報データの内容および出所を認証または承認できるように、（デジタル）署名を含みうる。デジタル署名により、モデル情報データが本物であることの証明または認証、例えば、署名者の正当性の認証を可能にする。デジタル署名は、選択的に、聴覚装置の製造時にモデル情報秘密鍵を使用して製造装置によって生成される。聴覚装置および／またはフィッティング装置は、デジタル署名を認証するように構成されてよい。デジタル署名は、聴覚装置／フィッティング装置によって、対応するモデル情報公開鍵を使用して認証可能である。デジタル署名に疑わしい公開鍵が使用されてうまく認証されない場合、モデル情報の認証は失敗する。このことは、聴覚装置が、改変されているか、または正当であると認められていない者から受け取ったモデル情報データを拒否するという利点を提供しうる。したがって、モデル情報データは、偽装、改変、およびなりすまし攻撃に対してロバストであってもよい。
【００２０】
モデルデータは、モデル名を含んでいてもよい。モデル名は、聴覚装置のモデルを示す。したがって、モデル名は、聴覚装置が動作するように構成されたモデルを示してもよい。本明細書で使用する場合、用語「モデル名」とは、聴覚装置モデルを、例えば、分類するために識別し、かつ／または一意に識別するために使用される１つのデータを意味する。モデル名は、語、数字、文字、記号、リスト、配列、またはこれらの任意の組み合わせの形態であってよい。例えば、数字であるモデル名は、整数、例えば、符号なしの整数配列等の８ビット、１６ビット、３２ビット等の長さの符号なしの整数単位の形態であってよい。
【００２１】
モデルデータは、モデル識別子を含んでいてもよい。モデル識別子は、モデル名および／または聴覚装置識別子に基づいていてよい。モデル識別子とは、特定の聴覚装置の聴覚装置モデルの一意の識別子を意味していてもよく、例えば、第１のモデルとして構成される第１の聴覚装置のモデル識別子は、第１のモデルとして構成される第２の聴覚装置のモデル識別子と異なっていてよく、かつ／または、第１のモデルとして構成される第１の聴覚装置のモデル識別子は、第２のモデルとして構成される第１の聴覚装置のモデル識別子と異なっていてよい。
【００２２】
聴覚装置／メモリ部は、製造ユニット識別子を内部に格納していてもよい。製造ユニット識別子は、選択的に、モデル情報データおよび／またはモデル識別子の製造または生成に使用される製造ユニットを示す。
【００２３】
処理部は、モデルデータを認証するように構成されている。モデル識別子を認証することは、モデル名および／またはモデル識別子に基づいていてよい。
【００２４】
モデルデータを認証することおよび／またはモデルデータを認証する工程は、聴覚装置識別子、モデル名、および／またはモデル識別子に基づく認証基準が満たされているかどうかを判定することを含んでいてもよく、認証基準が満たされていなければ認証は失敗する。認証基準は、モデル情報データに基づいていてもよい。認証基準が満たされているかどうかを判定することは、１つまたは複数のハッシュ関数を計算することを含んでいてもよい。聴覚装置識別子に基づいてモデルデータを認証することによって、聴覚装置製造業者は、特定の聴覚装置に利用可能なモデルを制御でき、すなわち、モデル情報データは聴覚装置識別子に基づく。
【００２５】
認証基準が満たされているかどうかを判定することは、例えば、モデル名により示されるモデル情報データを、聴覚装置識別子、モデル名、および／またはモデル識別子に適用されるＳＨＡ−２等のハッシュ関数の結果と比較することを含んでいてもよい。
【００２６】
１つまたは複数の例示的な聴覚装置および／または方法では、モデル名がモデル情報データの第１のモデル情報を示すかまたは指す場合、ＭＩ１＝ｈａｓｈ（ＨＤ＿ＩＤ，Ｍ＿Ｎ，Ｍ＿ＩＤ）であれば、認証基準を満たすか、または少なくとも部分的に満たしうる。式中、ＭＩ１は第１のモデル情報であり、ｈａｓｈはＳＨＡ−２等のハッシュ関数であり、ＨＤ＿ＩＤは聴覚装置識別子であり、Ｍ＿Ｎはモデル名であり、Ｍ＿ＩＤはメモリ部に格納されるモデル識別子である。選択的に、製造ユニット識別子ＭＵ＿ＩＤをハッシュ関数に含めてもよい。
【００２７】
１つまたは複数の例示的な聴覚装置では、モデル名がモデル情報データの第２のモデル情報を示すかまたは指す場合、ＭＩ２＝ｈａｓｈ（ＨＤ＿ＩＤ，Ｍ＿Ｎ，Ｍ＿ＩＤ，ＭＵ＿ＩＤ）であれば、認証基準を満たすか、または少なくとも部分的に満たしうる。式中、ＭＩ２は第２のモデル情報であり、ｈａｓｈはＳＨＡ−２等のハッシュ関数であり、ＨＤ＿ＩＤは聴覚装置識別子であり、Ｍ＿Ｎはモデル名であり、Ｍ＿ＩＤはモデル識別子であり、ＭＵ＿ＩＤはメモリ部に格納される製造ユニット識別子である。
【００２８】
１つまたは複数の例示的な聴覚装置および／または方法では、ｉ＝１，２，…ｎのうちの１つについて、ＭＩｉ＝ｈａｓｈ（ＨＤ＿ＩＤ，Ｍ＿Ｎ，Ｍ＿ＩＤ，ＭＵ＿ＩＤ）であれば、認証基準を満たすか、または少なくとも部分的に満たしうる。式中、ＭＩｉはモデル情報データに含まれるｎ個の異なるモデルのｉ番目のモデル情報であり、ｈａｓｈはＳＨＡ−２等のハッシュ関数であり、ＨＤ＿ＩＤは聴覚装置識別子であり、Ｍ＿Ｎはモデル名であり、Ｍ＿ＩＤはモデル識別子であり、ＭＵ＿ＩＤはメモリ部に格納される製造ユニット識別子である。
【００２９】
１つまたは複数の例示的な聴覚装置および／または方法では、ＭＩｉ＝ｈａｓｈ（ＨＤ＿ＩＤ，Ｍ＿Ｎ，Ｍ＿ＩＤ，ＭＵ＿ＩＤ）であれば、認証基準を満たすか、または少なくとも部分的に満たしうる。式中、ＭＩｉはモデル名によって示され、モデル情報データに含まれるｉ番目のモデルについてのモデル情報であり、ｈａｓｈはＳＨＡ−２等のハッシュ関数であり、ＨＤ＿ＩＤは聴覚装置識別子であり、Ｍ＿Ｎはモデル名であり、Ｍ＿ＩＤはモデル識別子であり、ＭＵ＿ＩＤはメモリ部に格納される製造ユニット識別子である。
【００３０】
モデルデータを認証することおよび／またはモデルデータを認証する工程は、聴覚装置識別子、モデル名、および／またはモデル識別子に基づいてチェック関数を実行することを含んでいてもよい。チェック関数を実行することは、１つまたは複数のハッシュ関数を適用することを含んでいてもよい。モデルデータを認証することおよび／またはモデルデータの認証は、モデル名に対応するモデル情報を選択することを含んでいてもよい。モデルデータを認証することおよび／またはモデルデータを認証する工程は、チェック関数の結果をモデル情報データ、例えば、第１のモデル情報および／または第２のモデル情報と比較することを含んでいてもよい。モデルデータを認証することおよび／またはモデルデータを認証する工程は、チェック関数の結果をモデル名に対応するモデル情報またはモデル情報データのすべてのモデル情報と比較することを含んでいてもよい。モデルデータの認証は、チェック関数の結果が対応するモデル情報に合致していなければ失敗しうる。モデルデータの認証は、チェック関数の結果がモデル情報データのどのモデル情報にも合致していなければ失敗しうる。
【００３１】
モデルデータを認証することおよび／またはモデルデータを認証する工程は、製造ユニット識別子に基づいてチェック関数を実行することを含んでいてもよい。
【００３２】
処理部は、モデルデータの認証が失敗する場合に、モデル更新モードに進むように構成されている。モデル更新モードでは、聴覚装置は、動作していなくてもよく、かつ／またはモデル更新モード中の聴覚装置を示す音響信号を送信してもよい。
【００３３】
聴覚装置をフィッティングする１つまたは複数の例示的方法では、本方法は、聴覚装置の聴覚装置識別子を取得する工程を含む。聴覚装置識別子を取得する工程は、例えばフィッティング装置において、聴覚装置識別子を聴覚装置のメモリ部から受信することを含んでいてもよい。
【００３４】
また、聴覚装置をフィッティングする１つまたは複数の例示的方法では、本方法は、例えばフィッティング装置を用いて、モデル名を取得する工程を含む。モデル名を取得する工程は、フィッティング装置を用いた、モデル名を示すユーザ入力を受信する工程を含んでいてもよい。聴覚装置をフィッティングする１つまたは複数の例示的方法では、本方法は、聴覚装置からモデル情報データを取得する工程、および／またはモデル情報データが存在しているかどうかを判定する工程を含む。
【００３５】
本方法は、モデル名および聴覚装置識別子に基づいて、モデル識別生成器からモデル識別子を取得する工程を含んでいてもよい。モデル識別子を取得する工程は、モデル名および聴覚装置識別子を含むモデル識別子要求をモデル識別子生成器に送信する工程と、モデル識別子を含むモデル識別子応答をモデル識別子生成器から受信する工程とを含んでいてもよい。モデル識別子生成器は、聴覚装置製造業者によって制御されるサーバ装置であってよい。モデル識別子生成器は、例えば、ＩＣカード、スマートカード、ハードウェアセキュリティモジュールといった製造装置等の、モデル識別子を生成するように構成された装置である。
【００３６】
本方法は、モデル名およびモデル識別子を聴覚装置のメモリ部に格納する工程を含んでいてもよい。
【００３７】
本方法は、例えば、サーバ装置／モデル識別生成器から、聴覚装置識別子に基づいてモデル情報データを取得する工程と、例えば、第１の更新基準が満たされていれば、モデル情報データをメモリ部に格納することとを含んでいてもよい。第１の更新基準は、聴覚装置のメモリ部がモデル情報データを含んでいないか、または例えば署名が認証されない場合にモデル情報データが破損している場合、満たされてよい。第１の更新基準は、モデル情報データが取得したモデル名に対応するモデル情報を含まない場合、満たされてもよい。モデル情報データを取得する工程は、聴覚装置識別子および／または取得したモデル名を含むモデル情報データ要求を、例えば、モデル情報データ生成器に送信する工程と、モデル情報データを含むモデル情報データ応答をモデル情報データ生成器から受信する工程と、を含んでいてもよい。モデル情報データ生成器は、聴覚装置製造業者によって制御されるサーバ装置であってよい。モデル情報データ生成器は、例えば、ＩＣカード、スマートカード、ハードウェアセキュリティモジュールといった製造装置等の、モデル情報データを生成するように構成された装置である。
【００３８】
１つまたは複数の例示的な方法では、モデル識別子を取得する工程、ならびにモデル名およびモデル識別子を格納する工程は、第２の更新基準が満たされた場合に実行される。第２の更新基準は、聴覚装置のメモリ部がモデル識別子を含んでいない場合、例えばモデル識別子が０等のデフォルト値である場合に、満たされてよい。第２の更新基準は、メモリ部のモデル名が取得したモデル名とは異なる場合に満たされてもよい。
【００３９】
本方法は、モデルデータ、例えば、モデル名、モデル識別子、および／またはモデル情報データをメモリ部から取り出す工程と、選択的に、モデル情報データの署名を認証する工程、モデル情報データおよび聴覚装置識別子に基づいてモデル名およびモデル識別子を認証する工程を含む、モデルデータを認証する工程と、モデルデータの認証、例えば、署名、モデル名、またはモデル識別子の認証が失敗した場合にフィッティングを中止する工程とを含んでいてもよい。
【００４０】
本方法は、例えば、署名、モデル名、およびモデル識別子の認証が成功した場合、すなわち、署名、モデル名、およびモデル識別子が認証される場合に、モデル名に従って聴覚装置パラメータをフィッティングする工程を含んでいてもよい。
【００４１】
聴覚装置を操作する方法では、モデルデータを認証する工程は、モデル情報データの署名を認証する工程を含んでいてもよい。聴覚装置を操作する方法では、モデルデータは、モデル名および／またはモデル識別子を含んでいてもよく、モデルデータを認証する工程は、モデル名および／またはモデル識別子に基づいてモデルデータを認証する工程を含んでいてもよい。
【００４２】
図１は、聴覚装置２の製造、メンテナンス／更新、および／または操作のために使用されうる例示的な装置を概略的に示す。図１は、例示的なシステム１および聴覚装置２を示す。システム１は、選択的に聴覚装置を所望の聴覚装置モデルとして動作させる構成を備えるが、これらに限定されない、聴覚装置２の製造、メンテナンス／更新、ならびに／または操作のための製造装置１２、クライアント装置１０および／またはフィッティング装置１４、ならびにサーバ装置１６のうちの１つまたは複数を備えてもよい。製造装置１２は、聴覚装置２に聴覚装置識別子を格納するように構成されてよい。製造装置１２および／またはフィッティング装置１４は、モデルデータを聴覚装置２に格納するように構成されてよい。製造装置１２および／またはフィッティング装置１４は、モデル名および聴覚装置識別子に基づくモデル名および／またはモデル識別子を聴覚装置２に格納するように構成されてよい。聴覚装置２は、聴覚装置２のユーザの聴力損失を補うように構成されていてよい。聴覚装置２は、例えば、一方向または双方向通信リンク等の通信リンク２３を用いて、製造装置１２と通信するように構成されてよい。通信リンク２３は、有線リンクおよび／または無線通信リンクであってよい。通信リンク２３は、シングルホップ通信リンクおよび／またはマルチホップ通信リンクであってよい。無線通信リンクは、狭域通信システム、例えば、Ｂｌｕｅｔｏｏｔｈ（登録商標）、Ｂｌｕｅｔｏｏｔｈ  ｌｏｗ  ｅｎｅｒｇｙ、ＩＥＥＥ８０２．１１、Ｚｉｇｂｅｅにより行われてよい。聴覚装置２は、モデルデータを製造装置１２から受信し、例えば一次セキュリティ設定の一部として、モデルデータを聴覚装置２内に含まれるメモリ部に格納するように構成されてよい。代替的にまたは加えて、製造装置１２は、モデルデータを直接聴覚装置のメモリ部に格納してよい。例えば、製造装置１２は、モデルデータをメモリ部に書き込んでもよい。例えば、聴覚装置２の製造中、製造装置１２は、聴覚装置２に接続し、モデルを聴覚装置２に送信する。聴覚装置は、モデルデータを受信および格納してもよい。その後、聴覚装置２は、モデルデータに付与される要素を使用して、聴覚装置の承認された操作を保護する。聴覚装置２は、双方向通信リンク等の通信リンク２１を介して、クライアント装置１０／フィッティング装置１４に接続するように構成されていてもよい。通信リンク２１は、有線リンクおよび／または無線通信リンクであってよい。通信リンク２１は、シングルホップ通信リンクまたはマルチホップ通信リンクであってよい。無線通信リンクは、狭域通信システム、例えば、Ｂｌｕｅｔｏｏｔｈ、Ｂｌｕｅｔｏｏｔｈ  ｌｏｗ  ｅｎｅｒｇｙ、ＩＥＥＥ８０２．１１、Ｚｉｇｂｅｅにより行われてよい。聴覚装置２は、ネットワーク上で、クライアント装置１０／フィッティング装置１４に接続するように構成されてもよい。クライアント装置１０は、補聴器装置の遠隔フィッティングを許容してもよく、ここで、販売業者は、ユーザのクライアント装置１０を介して聴覚装置に接続する。クライアント装置１０は、フィッティング装置１４等のクライアント（例えば、手持ち式装置、リレー、タブレット、パ���ソナルコンピュータ、携帯電話、および／またはパーソナルコンピュータに差し込まれたＵＳＢドングル）として機能する計算装置を備えてよい。クライアント装置１０／フィッティング装置１４は、双方向通信リンク等の通信リンク２４を介してサーバ装置１６（モデル識別子生成器）と通信するように構成されてもよい。通信リンク２４は、有線リンクおよび／または無線通信リンクであってよい。通信リンク２４は、インターネット等のネットワークを含んでよい。クライアント装置１０／フィッティング装置１４は、メンテナンスおよび更新目的で、サーバ装置１６と通信するように構成されてもよい。サーバ装置１６（モデル識別子生成器）は、サーバとして機能する、すなわち、クライアント装置１０および／または聴覚装置２からの要求を出すように構成された計算装置を備えてよい。サーバ装置１６は、聴覚装置製造業者によって制御されてよい。サーバ装置１６は、製造、メンテナンス、および／または操作の目的で通信リンク２２を介して製造装置１２と通信するように構成されてもよい。サーバ装置１６および製造装置１２は、聴覚装置２の製造、メンテナンス、および／または操作の目的で同じ場所に配置され、かつ／または１つのエンティティを成してもよい。
【００４３】
図２は、例示的な聴覚装置２を概略的に示す。聴覚装置２は、処理部４と、メモリ部６と、インタフェース８とを備える。聴覚装置２は、聴覚装置２のユーザの聴力損失を補うように構成された処理部４を備える。インタフェース８は、選択的に、例えば、２．４〜２．５ＧＨｚの範囲の周波数における無線通信用に構成された無線トランシーバを備える。インタフェース８は、製造装置１２および／またはクライアント装置１０／フィッティング装置１４との有線および／または無線通信等の通信用に構成される。処理部４は、製造および／またはフィッティング中に受信されるデータに従って、補聴器のユーザの聴力損失を補うように構成されてよい。聴覚装置２は、選択的に、音声信号を受信し、音声信号を変換された音声信号に変換するマイクロホン５または複数のマイクロホンを備える。１つまたは複数の例示的な聴覚装置では、インタフェースの無線トランシーバは、さらに、例えば、携帯電話または無線トランスミッタを備える音声システム等の外部音源からの１つまたは複数の変換された音声信号を処理部に提供してもよい。変換された音声信号は、音声信号の電気および／またはデジタルバージョンであってよい。処理部４は、変換された音声信号を受信し、聴覚装置２のユーザの聴力損失に従って、処理済み音声信号へと処理するように構成される。処理済み音声信号は、圧縮および／または増幅等されてもよい。聴覚装置２は、受信機として知られる出力変換器／スピーカ７を備える。受信機７は、処理済み音声信号を受信し、ユーザの鼓膜が受け取れるように、処理済み音声信号を出力音声信号へと変換するように構成される。聴覚装置は、選択的に、聴覚装置のセキュリティ設定１７８に従って動作するように構成される。セキュリティ設定１７８は、選択的に聴覚装置証明書１００を含む一次セキュリティ設定１７８Ａを含んでよい。１つまたは複数の例示的な聴覚装置では、聴覚装置証明書１００／セキュリティ設定１７８は、聴覚装置証明書の内容の認証を可能にするために聴覚装置識別子１１２および／またはデジタル署名を含む。聴覚装置証明書１００は、例えば、クライアント装置１０／フィッティング装置１４との通信を保護するキー材料を含んでもよい。選択的に、セキュリティ設定１７８は、例えば、聴覚装置の１つまたは複数の操作パラメータを含む二次セキュリティ設定１７８Ｂを含む。モデル名および／またはモデル識別子は、一次セキュリティ設定および／または二次セキュリティ設定に格納されるか、一次セキュリティ設定および／または二次セキュリティ設定の一部を成してもよい。メモリ部６は、読み出し専用メモリ（ＲＯＭ）、ランダムアクセスメモリ（ＲＡＭ）等を含むが、これらに限定されない、取り外し可能および取り外し不可能なデータ記憶ユニットを備えてよい。メモリ部６は、聴覚装置識別子１１２を内部に格納するか、または例えば、一次セキュリティ設定１７８Ａ／聴覚装置証明書１００の一部として、聴覚装置識別子１１２を格納するように少なくとも構成される。メモリ部６は、モデルデータ１８０を内部に格納するか、または、例えば、セキュリティ設定１７８の一部として、モデルデータ１８０を格納するように少なくとも構成される。モデルデータ１８０は、聴覚装置に利用可能な１つまたは複数のモデルを示すモデル情報データを含み、モデル情報データは、第１のモデル情報および（デジタル）署名を含む。
【００４４】
モデルデータ１８０は、モデル名および／またはモデル識別子を含み、処理部４は、モデル名および／またはモデル識別子に基づいてモデルデータを認証するように構成される。モデル名および／またはモデル識別子は、聴覚装置のフィッティング中、すなわち、フィッティング装置を使用する販売業者にて、メモリ部６内に格納されてもよい。デフォルトモデル名ならびにデフォルトモデル名および聴覚装置識別子に従うデフォルトモデル識別子は、製造中にメモリ部に格納されてもよい。その後、モデル名およびモデル識別子は、フィッティング中に、例えば、本明細書に記載される方法を用いて更新しうる。選択的に、メモリ部６は、聴覚装置の製造に使用される製造ユニットを示す製造ユニット識別子１８２を内部に格納するか、または製造ユニット識別子１８２を格納するように少なくとも構成される。
【００４５】
処理部４は、モデル情報データ、例えば、第１のモデル情報および／またはデジタル署名、モデル名、モデル識別子、ならび製造ユニット識別子１８２のうちの１つまたは複数に基づいて、モデルデータ１８０を認証するように構成される。処理部は、モデルデータの認証が失敗した場合は、モデル更新モードに進むように構成されている。モデル更新モードは、非動作モードであってよく、すなわち、聴覚装置は聴覚装置として動作しない。
【００４６】
処理部４は、モデル情報データのデジタル署名を認証し、認証基準が満たされていることを確認／認証するように構成されている。次に、モデルデータは、モデル情報データのデジタル署名が認証され、認証基準が満たされていれば、認証されるかまたは少なくとも部分的に認証される。１つまたは複数の例示的な聴覚装置では、認証基準は、ｉ＝１，２，…ｎのうちの１つについて、ＭＩｉ＝ｈａｓｈ（ＨＤ＿ＩＤ，Ｍ＿Ｎ，Ｍ＿ＩＤ，ＭＵ＿ＩＤ）であれば満たされ、式中、ＭＩｉはモデル情報データに含まれるｎ個の異なるモデルのｉ番目のモデル情報であり、ｈａｓｈはＳＨＡ−２等のハッシュ関数であり、ＨＤ＿ＩＤは聴覚装置識別子であり、Ｍ＿Ｎはモデル名であり、Ｍ＿ＩＤはモデル識別子であり、ＭＵ＿ＩＤはメモリ部に格納される製造ユニット識別子である。１つまたは複数の例示的な聴覚装置では、認証基準は、ＭＩｉ＝ｈａｓｈ（ＨＤ＿ＩＤ，Ｍ＿Ｎ，Ｍ＿ＩＤ，ＭＵ＿ＩＤ）であれば満たされ、式中、ＭＩｉはモデル名により示されるｉ番目のモデルについてのｉ番目のモデル情報である。
【００４７】
図３は、聴覚装置の／聴覚装置に格納される例示的なモデルデータ１８０を概略的に示す。モデルデータ１８０は、３つの異なるモデルに対してモデル情報１８６Ａ、１８６Ｂ、１８６Ｃを含んだモデル情報データ１８４を含む。モデル情報１８６Ａ、１８６Ｂ、１８６Ｃは、聴覚装置識別子に基づくため、それぞれの聴覚装置に一意のものである。さらに、モデルデータ１８０は、モデル名１９０およびモデル識別子１９２を含むか、またはこれらを含むように構成される。モデル識別子１９２は、例えば、Ｍ＿ＩＤ＝ｈａｓｈ（ＨＤ＿ＩＤ，Ｍ＿Ｎ，ＭＩ＿ＰＫ）として与えられる聴覚装置識別子、モデル名１９０，および聴覚装置製造業者のモデル情報秘密鍵に基づく。式中、Ｍ＿ＩＤはモデル識別子であり、ｈａｓｈはハッシュ関数であり、ＨＤ＿ＩＤは聴覚装置識別子であり、Ｍ＿Ｎはモデル名であり、ＭＩ＿ＰＫは例えばモデル識別子生成器に保持されるモデル情報秘密鍵である。モデル名およびモデル識別子は、フィッティング中に、例えば、本明細書に記載される方法を用いて、または製造中に聴覚装置に割り当てうる。
【００４８】
図４は、無線で聴覚装置をフィッティングする例示的な方法を示す例示的なシグナリング図４００である。フィッティング装置１４は、聴覚装置識別子１１２を含むＨＤ＿ＩＤメッセージ４０２を聴覚装置２から受信することにより、聴覚装置識別子１１２を取得する。フィッティング装置１４は、販売業者によって／聴覚装置の所望のモデル名を示すことを用いることによって、フィッティングのユーザインタフェースからモデル名を取得し、聴覚装置識別子１１２およびモデル名１９０、またはこれらを示すデータを含むＭ＿ＩＤ要求４０４を、モデル識別子生成器として機能するサーバ装置１６に送信することによって、モデル識別子１９２を取得する。モデル識別子生成器は、聴覚装置識別子、モデル名１９０、および聴覚装置製造業者のモデル情報秘密鍵に基づいて、フィッティング装置へのモデル識別子１９２を生成し、モデル識別子応答４０６でモデル識別子１９２を送信する。これにより、製造業者は、どの聴覚装置がどのモデルを操作しているかを制御し、ある聴覚装置の聴覚装置モデルを別に装置に模造することを防止できる。その後、モデル名１９０およびモデル識別子１９２は、モデル名１９０およびモデル識別子１９２を含む更新要求４０８を聴覚装置２に送ることによって、聴覚装置２内に格納される。
【００４９】
図５は、無線で聴覚装置をフィッティングする例示的な方法を示す例示的なシグナリング図４００Ａである。本方法は、フィッティング装置１４を用いて、モデルデータ１８０および／または製造ユニット識別子１８２を、例えば、モデルデータ１８０および／または製造ユニット識別子１８２を、聴覚装置識別子メッセージ４０２に含めることによって取得することを含む。これにより、フィッティング装置１４は、モデル情報データ、モデル名および／またはモデル識別子等のモデルデータの更新が必要かどうか判定できる。
【００５０】
図６は、処理部と、メモリ部とを備える聴覚装置をフィッティングする例示的な方法のフローチャートを示し、処理部は、聴覚装置のユーザの聴力損失を補うように構成される。方法５００は、聴覚装置の聴覚装置識別子を取得する工程Ｓ１と、例えば、フィッティング装置のユーザインタフェースからモデル名を取得する工程Ｓ２とを含む。聴覚装置の聴覚装置識別子を取得する工程Ｓ１は、選択的に、例えば無線接続を介して、聴覚装置識別子を聴覚装置から受信することを含む。本方法は、モデル名および聴覚装置識別子に基づいて、モデル識別子生成器からモデル識別子を取得する工程Ｓ３と、モデル名およびモデル識別子を聴覚装置のメモリ部に格納する工程Ｓ４とを含む。
【００５１】
図７は、処理部およびメモリ部を備える聴覚装置をフィッティングする例示的な方法のフローチャートを示し、処理部は聴覚装置のユーザの聴力損失を補うように構成される。選択的に、方法５００Ａは、例えば、サーバ装置／モデル識別生成器から、聴覚装置識別子に基づいてモデル情報データを取得する工程Ｓ５と、第１の更新基準Ｓ７が満たされていれば、モデル情報データをメモリ部に格納する工程Ｓ６とを含む。方法５００Ａは、聴覚装置からモデル情報データを含むモデルデータを取得する工程Ｓ８を含んでいてもよい。第１の更新基準Ｓ７は、聴覚装置が第１のモデル情報または署名等のモデル情報データを含んでいないか、またはモデル情報データのデジタル署名が認証できない／有効でない場合、満たされてよい。方法５００Ａでは、モデル識別子を取得する工程Ｓ３ならびにモデル名およびモデル識別子を格納する工程Ｓ４は、第２の更新基準Ｓ９が満たされた場合に実行される。第２の更新基準Ｓ９は、Ｓ２で取得されるモデル名がＳ８で聴覚装置から取得したモデルデータのモデル名と異なる場合に満たされてよい。第２の更新基準Ｓ９は、Ｓ８で聴覚装置から取得したモデルデータのモデル識別子は存在していないか、または０等のデフォルト値を有する場合に満たされてよい。第２の更新基準Ｓ９が満たされてない場合、本方法は、直接、またはメモリ部のモデルデータが任意でＳ１１で認証された場合、モデル名に従って聴覚装置パラメータをフィッティングする工程Ｓ１０に進む。本方法は、選択的に、モデルデータ、例えば、署名、モデル名、またはモデル識別子を認証する工程Ｓ１１が失敗する場合、フィッティングを中止する工程Ｓ１２を含む。
【００５２】
図８は、聴覚装置のユーザの聴力損失を補うように構成された処理部と、聴覚装置識別子を格納するメモリ部と、選択的にインタフェースとを備える聴覚装置をフィッティングする例示的な方法のフローチャートを示す。方法５００Ｂは、聴覚装置からモデルデータを取得する工程Ｓ８と、モデルデータを認証する工程Ｓ１１とを含む。モデルデータの認証がＳ１１で成功する場合、方法５００Ｂは聴覚装置のフィッティングＳ１０に進む。モデルデータの認証がＳ１１で失敗する場合、方法５００Ｂは、線テク的に、聴覚装置のフィッティングの中止Ｓ１２に進む。
【００５３】
図９は、聴覚装置のユーザの聴力損失を補うように構成された処理部と、メモリ部と、インタフェースとを備える聴覚装置を操作する例示的な方法のフローチャートを示す。メモリ部は、聴覚装置識別子および聴覚装置に利用可能なモデルを示すモデル情報データを含むモデルデータを格納し、モデル情報データは、第１のモデル情報および署名を含む。方法６００は、モデルデータを認証する工程Ｓ２０を含む。Ｓ２１で判定したときに、モデルデータの認証Ｓ２０が失敗する（認証なし）場合、本方法は、モデル更新モードに進む工程Ｓ２２を含む。モデルデータを認証する工程Ｓ２０は、モデル情報データの署名を認証する工程Ｓ２３と、モデルデータのモデル名および／またはモデル識別子に基づいてモデルデータを認証する工程Ｓ２４とを含む。本方法は、モデルデータの認証Ｓ２０が成功していれば、通常動作Ｓ２５に進む。
【００５４】
特定の特徴を示し、説明したが、特定の特徴は、特許請求される発明を制限することを意図していないと理解されたい。また、当業者には各種変更および改変が特許請求される発明の趣旨および範囲から逸脱することなく行われうることが明らかである。したがって、本明細書および図面は、限定するものではなくむしろ例示としてみなされるべきである。特許請求される発明は、あらゆる代替、改変、および均等物を包含することが意図される。
【００５５】
例示的な聴覚装置および方法は以下の項目で述べられる。
【００５６】
項目１
−聴覚装置のユーザの聴力損失を補うように構成される処理部と、
−メモリ部と、を備え、
メモリ部は、
−聴覚装置識別子と、
−第１のモデル情報および署名を含む、聴覚装置に利用可能なモデルを示すモデル情報データを含むモデルデータと、を格納し、
処理部は、
−モデルデータを認証し、
−モデルデータの認証が失敗する場合、モデル更新モードに進むように構成されている、聴覚装置。
【００５７】
項目２
モデルデータを認証することは、モデル情報データの署名を認証することを含む、項目１に記載の聴覚装置。
【００５８】
項目３
モデルデータは、モデル名および／またはモデル識別子を含み、モデルデータを認証することは、モデル名および／またはモデル識別子に基づく、項目１〜２のいずれか一項に記載の聴覚装置。
【００５９】
項目４
モデルデータを認証することは、聴覚装置識別子、モデル名、およびモデル識別子に基づく認証基準が満たされているかどうかを判定することを含み、認証基準が満たされていなければ認証は失敗する、項目３に記載の聴覚装置。
【００６０】
項目５
モデルデータを認証することは、聴覚装置識別子、モデル名、およびモデル識別子に基づいてチェック関数を実行することと、モデル名に対応するモデル情報を選択することと、チェック関数の結果をモデル名に対応するモデル情報と比較することとを含み、モデルデータの認証は、チェック関数の結果が対応するモデル情報に合致していなければ失敗する、項目３〜４のいずれか一項に記載の聴覚装置。
【００６１】
項目６
メモリ部は、製造ユニット識別子を格納し、モデルデータを認証することは、製造ユニット識別子に基づく、項目１〜５のいずれか一項に記載の聴覚装置。
【００６２】
項目７
聴覚装置のユーザの聴力損失を補うように構成される処理部と、メモリ部とを備える聴覚装置をフィッティングする方法であって、
−聴覚装置の聴覚装置識別子を取得する工程と、
−モデル名を取得する工程と、
−モデル識別子生成器からモデル名および聴覚装置識別子に基づいてモデル識別子を取得する工程と、
−モデル名およびモデル識別子をメモリ部に格納する工程と、を含む、方法。
【００６３】
項目８
方法は、聴覚装置識別子に基づいてモデル情報データを取得する工程と、第１の更新基準が満たされていれば、モデル情報データをメモリ部に格納する工程と、を含む、項目７に記載の方法。
【００６４】
項目９
モデル識別子を取得する工程ならびにモデル名およびモデル識別子を格納する工程は、第２の更新基準が満たされた場合に実行される、項目７〜８のいずれか一項に記載の方法。
【００６５】
項目１０
方法は、メモリ部からモデル名、モデル識別子、およびモデル情報データを取り出す工程と、モデル情報データの署名を認証する工程と、モデル情報および聴覚装置識別子に基づいてモデル名およびモデル識別子を認証する工程と、署名、モデル名、またはモデル識別子を認証することが失敗する場合、フィッティングを中止する工程とを含む、項目７〜９のいずれか一項に記載の方法。
【００６６】
項目１１
方法は、モデル名に従って聴覚装置パラメータをフィッティングする工程を含む、項目７〜１０のいずれか一項に記載の方法。
【００６７】
項目１２
聴覚装置のユーザの聴力損失を補うように構成された処理部と、聴覚装置識別子を内部に格納するメモリ部と、インタフェースと、を備える聴覚装置をフィッティングする方法であって、
−聴覚装置からモデルデータを取得する工程と、
−モデルデータを認証する工程と、
−モデルデータの認証が成功する場合、聴覚装置をフィッティングする工程と、を含む、方法。
【００６８】
項目１３
聴覚装置のユーザの聴力損失を補うように構成される処理部と、メモリ部と、インタフェースと、を備える聴覚装置を操作する方法であって、メモリ部は、聴覚装置識別子および聴覚装置に利用可能なモデルを示すモデル情報データを含むモデルデータを内部に格納し、モデル情報データは、第１のモデル情報および署名を含み、
−モデルデータを認証する工程と、
−モデルデータの認証が失敗する場合、モデル更新モードに進む工程と、を含む、方法。
【００６９】
項目１４
モデルデータを認証する工程は、モデル情報データの署名を認証する工程を含む、項目１３に記載の方法。
【００７０】
項目１５
モデルデータは、モデル名および／またはモデル識別子を含み、モデルデータを認証する工程は、モデル名および／またはモデル識別子に基づいて、モデルデータを認証する工程を含む、項目１３〜１４のいずれか一項に記載の方法。
【符号の説明】
【００７１】
１  システム
２  聴覚装置
４  処理部
５  マイクロホン
６  メモリ部
７  受信機
８  インタフェース
１０  クライアント装置
１２  製造装置
１４  フィッティング装置
１６  サーバ装置
２１  クライアント装置と聴覚装置との通信リンク
２２  サーバ装置と製造装置との通信リンク
２３  聴覚装置と製造装置との通信リンク
２４  サーバ装置とクライアント装置／フィッティング装置との通信リンク
１００  聴覚装置証明書
１１２  聴覚装置識別子
１７８  セキュリティ設定
１７８Ａ  一次セキュリティ設定
１７８Ｂ  二次セキュリティ設定
１８０  モデルデータ
１８２  製造ユニット識別子
１８４  モデル情報データ
１８６Ａ  第１のモデル情報
１８６Ｂ  第２のモデル情報
１８６Ｃ  第３のモデル情報
１８８  デジタル署名
１９０  モデル名
１９２  モデル識別子
４００、４００Ａ  シグナリング図
４０２  聴覚装置識別子メッセージ
４０４  モデル識別子要求
４０６  モデル識別子応答
４０８  更新要求
５００、５００Ａ、５００Ｂ  聴覚装置をフィッティングする方法
６００  聴覚装置を操作する方法
【図１】
2017050850.tif 000003
【図２】
2017050850.tif 000004
【図３】
2017050850.tif 000005
【図４】
2017050850.tif 000006
【図５】
2017050850.tif 000007
【図６】
2017050850.tif 000008
【図７】
2017050850.tif 000009
【図８】
2017050850.tif 000010
【図９】
2017050850.tif 000011
【外国語明細書】
2017050850000001.pdf
2017050850000002.pdf
2017050850000003.pdf
2017050850000004.pdf